(57)【特許請求の範囲】
【請求項１】
先端側に設けられた先口部材と、リフィールを収容可能な軸筒とを備え、リフィールを先端から出没可能な筆記具において、
前記軸筒には、前記先口部材の裏面側で前記先口部材の先端近傍まで延在する拡張部が設けられ、この拡張部は、前記先口部材より軟質な材料により形成され、
前記先口部材に形成された先端口から前記拡張部の先端を突出させたことを特徴とする筆記具。
【発明の詳細な説明】
【技術分野】
【０００１】
本発明は、先口部材を具備して、先端からリフィールが出没可能な筆記具に関するものである。
【背景技術】
【０００２】
従来、このような分野の技術として、特開２０００−３３５１６９号公報がある。この公報に記載された筆記具は、回転式多芯筆記具であり、後軸を回転させることにより、所望のリフィールの先端を軸筒の先端から突出させることができる。さらに、各リフィールは、リターンスプリングによって軸筒内で保持され、後軸に固定された回転カムの回転に伴って、リターンスプリングの付勢力に抗して軸筒の先端からリフィールを選択的に出没させることができる。また、軸筒の先端側には、メッキ処理された口先部(先口部材)が固定されている。
【０００３】
【特許文献１】特開２０００−３３５１６９号公報
【発明の開示】
【発明が解決しようとする課題】
【０００４】
前述した従来の筆記具においては、床に落下した衝撃によってリフィールが軸筒内で軸線方向に移動するが、このとき、リフィールの先端部分は、先口部材の裏面を擦るように移動したり、先口部材の裏面に衝突したりするので、リフィールの先端部を損傷させる虞がある。例えば、リフィールがボールペンである場合には、ボールペンのボールチップやそのカシメ付近を損傷させ、リフィールがシャープペンシルである場合には、芯の出口付近が損傷する虞がある。また、筆記具が強く揺すられると、硬質な先口部材の裏面にリフィールの先端部が強く衝突する虞があるので、接触音が先口部材を伝って放出されるといった問題点もある。なお、装飾や強度アップを目的にして、先口部材が金属メッキ処理されている場合には、メッキ剥がれが起きる虞もある。
【０００５】
本発明は、リフィールの先端部の接触音の低減やリフィールの先端の損傷防止を簡単な構成によって達成させるようにした筆記具を提供することを目的とする。
【課題を解決するための手段】
【０００６】
本発明に係る筆記具は、先端側に設けられた先口部材と、リフィールを収容可能な軸筒とを備え、リフィールを先端から出没可能な筆記具において、
軸筒には、先口部材の裏面側で先口部材の先端近傍まで延在する拡張部が設けられ、この拡張部は、先口部材より軟質な材料により形成されていることを特徴とする。
【０００７】
この筆記具では、リフィールの先端部の接触音の低減やリフィールの先端の損傷防止を達成するために、先口部材より軟質な軸筒の拡張部を利用して、筆記具の先端側を、硬質な先口部材と軟質な拡張部とによる二層構造にしている。従って、先口部材の裏面に樹脂材を別途貼り付ける必要がないので、構造を簡素化することができる。例えば、リフィールの保護のために、軸筒の拡張部を、弾性変形可能な樹脂材料(例えばオレフィン系樹脂(ＰＰ，ＰＥ等))により形成し、筆記具の先端側の保護(耐衝撃性と耐変形性)や装飾のために、金属や金属メッキされた先口部材を利用することができる。
【０００８】
更に、先口部材に形成された先端口から軸筒の拡張部を突出させる。
従来にあっては、落下衝撃時に先口部材の先端口が破損する事態を回避するために、先口部材の先端口に円錐台形状の樹脂部品を嵌め込んだり、先口部材の先端口を肉厚にしたりしていたが、本発明では、軸筒の拡張部の先端を先口部材の先端口から突出させているので、筆記具の先端の破損を防止することができる。そして、落下時に先口部材の先端が破損し難いので、例えば、先口部材に、装飾性が高いメッキを利用することもできる。さらに、先口部材の先端が変形し難くなるので、リフィールの出し入れの際の作動が安定する。
【発明の効果】
【０００９】
本発明によれば、リフィールの先端部の接触音の低減やリフィールの先端の損傷防止を簡単な構成によって達成させることができる。
【発明を実施するための最良の形態】
【００１０】
以下、図面を参照しつつ本発明に係る筆記具の好適な実施形態について詳細に説明する。なお、ペン先側を「前方側」として以下説明する。
【００１１】
図１に示すように、回転式多芯筆記具１は、前軸２ａと後軸２ｂとからなる軸筒２を有し、前軸２ａには、表面をメッキ処理した略円錐状の先口部材１９が装着され、後軸２ｂにはクリップ２ｃが一体に形成され、前軸２ａと後軸２ｂとは相対的に回転する。さらに、軸筒２の前軸２ａの外周には、弾性体からなる筒状のグリップ部３が装着されている。このグリップ部３は、弾性変形し易い軟質材(例えば熱可塑性エラストマー(ＴＰＥ))からなり、二色成形によって、前軸２ａとグリップ部３は一体的に形成されている。
【００１２】
軸筒２内には、２本のボールペン型リフィール（例えば、赤、黒のインクが入ったリフィール）４ａとシャープペンシル型リフィール４ｂとが収容されている。各リフィール４ａ，４ｂは、軸筒２内に収容された中駒６によって支持され、この中駒６は、前軸２ａに対して回転しないように連結されると共に、後軸２ｂに対して回転するように連結されている。
【００１３】
さらに、中駒６には、各リフィール４ａ，４ｂが差し込まれる３個の挿入孔６ａと、各挿入孔６ａから後方に向かって軸線Ｌ方向に延在するガイド溝６ｂとが形成されている。各ガイド溝６ｂ内では、各リフィール４ａ，４ｂの後端に固定されたスライド駒７が摺動する。そして、各ガイド溝６ｂ内には、リフィール４ａ，４ｂに巻回された圧縮バネ８が装填され、圧縮バネ８の一端は中駒６によって支持され、圧縮バネ８の他端はスライド駒７によって支持されている。
【００１４】
さらに、中駒６の後端には、筒状の駆動カム９を回転自在に支持する支軸部６ｃが形成されている。支軸部６ｃを中心に後軸２ｂと一緒に回転する駆動カム９は、内側で支軸部６ｃに回転自在に連結される円筒状の基部１０と、この基部１０の後端から突出して消しゴム１３が装填されると共に、キャップ５を保持する消しゴム収容部１１と、基部１０の前端から軸筒２の先端側に向けて突出するカム本体部１２とからなる。このカム本体部１２は、基部１０の端から爪状に突出すると共に、円筒を斜めに切断した形状をなし、カム本体部１２の輪郭に沿って山形のカム面１２ａが形成されている。
【００１５】
これに対して、圧縮バネ８の付勢力によって駆動カム９の従動部材として機能する各スライド駒７は、ガイド溝６ｂ内を摺動する摺動部１５と、摺動部１５から突出してリフィール４ａ，４ｂの後端に差し込まれるピン状のリフィール装填部１６と、摺動部１５に一体に形成されると共に、三角形状をなす従動部１７とからなる。従動部１７には、駆動カム９のカム面１２ａに沿って摺動するＶ字状の従動面１７ａが形成され、三角形状のカム本体部１２の先端には、従動部１７の頂部が入り込んで従動部１７を係止させるための凹部が形成されている。従って、後軸２ｂと一緒に駆動カム９が回転すると、カム本体部１２の凹部内にスライド駒７の頂部の何れかが選択的に入り込むので、後軸２ｂの回転によって、リフィール４ａ，４ｂの先端の何れかを軸筒２の先端から突出させることができる。
【００１６】
このような回転式多芯筆記具１において、軸筒２の前軸２ａの外周に装着されたグリップ部３は、弾性変形し易い軟質材(例えば熱可塑性エラストマー(ＴＰＥ))からなり、二色成形によって、前軸２ａとグリップ部３は一体的に形成されている。その結果、互いの接着性が向上するので、前軸２ａに対してグリップ部３が剥がれ難くなる。
【００１７】
図２及び図３に示すように、軸筒２の前軸２ａは、グリップ部３が装着される円筒状の前軸本体部２０と、後軸２ｂ内に装填されて、後軸２ｂに対して回転自在に連結されると共に、中駒６に対して回転しないように連結される円筒状の連結部２１と、金属製の装飾リング１８(図１参照)を装着させるために、連結部２１と前軸本体部２０との間に形成されたリング装着部２２と、金属メッキされた略円錐状の先口部材１９の内方に位置して、前軸本体部２０の前端から突出する略円錐状の拡張部２３とから構成されている。
【００１８】
軸筒２の先端部すなわち前軸２ａの拡張部２３の外周面には、軸線Ｌ方向に延在する平坦面Ｓが形成され、グリップ部３の先端側には、先口部材１９の内側まで軸線Ｌ方向に延在する突片３ａが一体的に設けられ、平坦面Ｓ上に突片３ａが二色成形によって接着されている。二色成形によって、平坦面Ｓと突片３ａとの接着性が向上するので、前軸２ａの平坦面Ｓに対してグリップ部３の突片３ａが剥がれ難くなっている。
【００１９】
なお、成形時に関して、一次側のゲートを平坦面Ｓの略中央に設け、二次側のゲートを突片３ａの略中央に設けることが好ましい。製品に関して、これらゲートの成形跡Ｇ１，Ｇ２は、先口部材１９によって隠すことができるので外観が良好になる。また、先口部材１９の内周面１９ａの後端部に設けられたリング状の凸部１９ｂ(図１参照)は、突片３ａに接触していない。
【００２０】
さらに、前軸２ａの拡張部２３及び突片３ａを覆うように先口部材１９が装着され、突片３ａは平坦面Ｓに接着させられている。その結果、指の引っ掛かりによって引き起こされるグリップ部３の先端３ｂのめくれ上がり現象やグリップ部３の先端３ｂの後退現象が起き難くなる。このような現象は、グリップ部３に弾性変形し易い軟質材(例えば熱可塑性エラストマー(ＴＰＥ))が利用される場合に特に起き易いので、このような材質のグリップ部３をもった筆記具には特に効果的である。
【００２１】
図５に示すように、軸筒２の前軸２ａは、先口部材１９の裏面１９ａ側で先口部材１９の先端１９ｃまで延在する。すなわち、先口部材１９の裏面１９ａ側には、前軸２ａの拡張部２３が延在している。また、軸筒２の前軸２ａは、先口部材１９より軟質な材料により形成されている。例えば、軸筒２の前軸２ａを、弾性変形可能な樹脂材料(例えばオレフィン系樹脂(ＰＰ，ＰＥ等))により形成し、筆記具１の先端側の保護(耐衝撃性と耐変形性)や装飾のために、金属(例えば、真鍮、ステンレス、アルミニウム)からなる硬質材や、樹脂にクロムメッキなどが施された硬質材からなる先口部材１９を利用することができる。
【００２２】
多芯筆記具１の場合、各リフィール４ａ，４ｂは軸筒２の壁面側に寄せられているが、床に落下した衝撃によって、リフィール４ａ，４ｂが圧縮バネ８のバネ力に抗して軸筒２内で軸線Ｌ方向に移動しても、リフィール４ａ，４ｂの先端部分は、弾性変形可能な樹脂材料よりなる前軸２ａの拡張部２３の壁面を擦るように移動したり、前軸２ａの拡張部２３の壁面に衝突したりするので、リフィール４ａ，４ｂの先端部の損傷を回避させることができる。
【００２３】
例えば、ボールペン型リフィール４ａの場合には、ボールペンのボールチップやそのカシメ付近を損傷させ難く、シャープペンシル型リフィール４ｂの場合には、芯の出口近傍を損傷させ難くなる。また、筆記具１が強く揺すられて、前軸２ａの拡張部２３の壁面にリフィール４ａ，４ｂの先端部が衝突するが、リフィール４ａ，４ｂは、硬質な先口部材１９に直接接触しないので、接触音が先口部材１９を伝って外部に放出され難くなる。さらに、装飾や強度アップを目的にして、先口部材１９が金属メッキ処理されている場合でも、メッキ剥がれが起き難い。
【００２４】
さらに、拡張部２３には、先口部材１９に設けられたリング状の凸部１９ｂが嵌め込まれる凹部２３ａが形成され、この凹部２３ａは、拡張部２３の周方向において、平坦部Ｓの一端と他端とを架け渡すようにＣ字状に形成されている。また、拡張部２３には、この周方向において、平坦部Ｓの一端と他端とを架け渡すように、凹部２３ａと平行なＣ字状の凸部２３ｂが形成されている。先口部材１９の裏面１９ａには、拡張部２３の凸部２３ｂが嵌め込まれるリング状の凹部１９ｅが凸部１９ｂと平行に形成されている。このような嵌り込み構造と、弾性をもった突片３ａとによって、先口部材１９は拡張部２３から極めて脱落し難くなっている。
【００２５】
このように、前述した筆記具１では、リフィール４ａ，４ｂの先端部の接触音の低減やリフィール４ａ，４ｂの先端の損傷防止を達成するために、先口部材１９より軟質な前軸２ａの拡張部２３を利用して、筆記具１の先端側を、先口部材１９と軸筒２の一部とによる二層構造にしている。従って、先口部材１９の裏面１９ａに樹脂材を別途貼り付ける必要がないので、構造を簡素化することができる。
【００２６】
しかも、このような二層構造は、先口部材１９と前軸２ａの材料選択の幅を広げることができる。例えば、リフィール４ａ，４ｂの保護のために、前軸２ａを、弾性変形可能な樹脂材料(例えばオレフィン系樹脂(ＰＰ，ＰＥ等))により形成し、筆記具１の先端側の保護(耐衝撃性と耐変形性)や装飾のために、金属、硬質樹脂、金属メッキなどからなる先口部材１９を利用することができる。
【００２７】
また、従来にあっては、落下衝撃時に先口部材の先端口が破損する事態を回避するために、先口部材の先端口に円錐台形状の樹脂部品を嵌め込んだり、先口部材の先端口を肉厚にしたりしていた。そこで、本発明に係る筆記具１では、先口部材１９に形成された先端口１９ｄから前軸２ａの拡張部２３の先端を突出させている。拡張部２３の先端部分すなわち突出部２３ｃが拡張部２３に一体的に設けられている結果として、筆記具１の先端の破損を防止することができる。そして、落下時に先口部材１９の先端が破損し難くなるので、例えば、先口部材１９に、装飾性が高いメッキを利用することもできる。
【００２８】
本発明は、前述した実施形態に限定されないことは言うまでもない。例えば、図６に示すように、単芯の筆記具３０にあっては、軸筒３１における前軸３１ａの拡張部３２内にリフィールガイド孔３２ａが形成されている。この場合、リフィール４ａの前端がリフィールガイド孔３２ａの壁面に当たり易くなっている。従って、筆記具３０の先端側を、先口部材１９と拡張部３２とによる二層構造にして、前軸３１ａを先口部材１９より軟質な材料により形成すると、前述した筆記具１と同様の効果が得られる。さらに、先口部材１９の先端１９ｃが変形し難くなるので、リフィール４ａ，４ｂの出し入れの際の作動が安定する。
【００２９】
さらに、本発明は、回転式に限らずノック式筆記具にも適用可能である。また、前軸２ａ，３１ａにおいて、前述した実施形態では、拡張部２３，３２は前軸２ａ，３１ａと同質な材料で一体成形されているが、拡張部２３，３２のみを、先口部材１９より軟質な材料により成形してもよい。
【図面の簡単な説明】
【００３０】
【図１】本発明に係る筆記具の実施形態を示す断面図である。
【図２】第１の実施形態に適用される前軸を示す斜視図である。
【図３】先口部材を前軸から外した状態を示す斜視図である。
【図４】図１のＩＶ−ＩＶ線に沿う断面図である。
【図５】本発明に係る筆記具の要部を示す断面図である。
【図６】本発明に係る筆記具の他の実施形態を示す断面図である。
【符号の説明】
【００３１】
１，３０…筆記具、２，３１…軸筒、２ａ，３１ａ…前軸、２ｂ…後軸、３…グリップ部、３ａ…突片、４ａ，４ｂ…リフィール、１９…先口部材、１９ａ…先口部材の裏面、１９ｄ…先口部材の先端口、２３，３２…拡張部、２３ｃ…突出部、Ｓ…平坦面、Ｌ…軸線。
【図１】
0005078641.tif 000002
【図２】
0005078641.tif 000003
【図３】
0005078641.tif 000004
【図４】
0005078641.tif 000005
【図５】
0005078641.tif 000006
【図６】
0005078641.tif 000007